(57)【特許請求の範囲】
【請求項１】
少なくとも後記第１次配送セクション及び第２次配送セクションに商品を配送する物流統括拠点の商品供給セクションに設置され、後記第１次配送セクションになく低回転率であるが付加価値の高い商品の当該商品供給セクションにおける在庫入庫情報を後記ホストコンピューターに送信し、かつ配送情報を後記ホストコンピューターから受信する端末装置と、
複数エリアにそれぞれ位置し、前記商品供給セクションの在庫商品よりも回転率の高い定番・定量商品の在庫を保有するところの、第１次配送セクションに設置され、当該第１次配送セクションの在庫入庫情報を後記ホストコンピューターに送信し、かつ後記ホストコンピューターから配送情報を受信する端末装置と、
前記各第１次配送セクションから近距離範囲内に位置し、当該第１次配送セクションから周囲の複数の販売店に車輌により巡回して配送するところの、商品の在庫を持たない受注セクションに設置され、当該受注セクションにおける当該販売店からの商品の受注情報を後記ホストコンピューターに送信する端末装置と、
前記各第１次配送セクションから中距離範囲内に位置し、当該第１次配送セクションから供給する商品を周囲の販売店に車輌により巡回して配送するところの、第２次配送セクションに設置され、当該第１次配送セクションより少ない在庫量で在庫する商品の当該第２次配送セクションにおける在庫入庫情報と、当該第２次配送セクションにおける当該販売店からの商品の受注情報とを後記ホストコンピューターに送信し、かつ配送情報を後記ホストコンピューターから受信する端末装置と、
前記商品供給セクション、前記第１次配送セクション、前記受注セクション及び前記第２次配送セクションに設置された前記各端末装置から前記在庫入庫情報又は前記受注情報を受信し、かつ前記商品供給セクション、前記第１次配送セクション、及び前記第２次配送セクションに設置された前記各端末装置へ配送情報を送信し、当該在庫入庫情報、受注情報及び配送情報を記憶媒体に蓄積する情報システムセンターのホストコンピューターとから少なくともなり、
前記第１次配送セクション及び前記第２次配送セクションからの在庫入庫情報には定番・定量商品の在庫入庫情報を含み、前記商品供給セクションからの在庫入庫情報には低回転率であるが付加価値の高い商品を含む商品の在庫入庫情報を含み、
商品の受注情報に基づいて、当該受注が受注セクションのテリトリー内の販売店であれば少なくとも受注セクションのテリトリー内の販売店に配送する配送情報が前記ホストコンピューターの記憶媒体に蓄積されると共に、第１次配送セクションの端末装置に送信され、当該受注が第２次配送セクションのテリトリー内の販売店であれば第２次配送セクションのテリトリー内の販売店に配送する配送情報が前記ホストコンピューターの記憶媒体に蓄積されると共に、当該第２次配送セクションの端末装置に送信され、
当該受注した商品の受注数量情報と在庫数量情報とを前記ホストコンピューターにおいて比較評価することによって、当該商品の在庫が欠落している場合は、当該商品の欠落情報が前記ホストコンピューターの記憶媒体に蓄積され、当該欠落商品を第１次配送セクションから第２次配送セクションに配送する配送情報が前記ホストコンピューターの記憶媒体に蓄積されると共に、当該第１次配送セクションの端末装置に送信されることを特徴とする多品目商品の物流システム。
【請求項２】
前記販売店の端末装置から通信回線を通じてアクセス可能な通信ネットワークサーバーの記憶媒体に、前記商品供給セクション或いは前記配送セクションが持つ商品の在庫情報が蓄積され、前記販売店の端末装置が当該在庫情報に基づいて商品の発注情報を前記通信ネットワークサーバーに送信し、当該通信ネットワークサーバーが前記商品の配送情報を出力する請求項１記載の多品目商品の物流システム。
【請求項３】
商品供給セクション或いは配送セクションが持つ商品の在庫情報を色分け表示した請求項１記載の多品目商品の物流システム。
【発明の詳細な説明】
【０００１】
【発明の属する技術分野】
本発明は多品目商品の物流システムに関する。
【０００２】
【従来の技術】
多品目の商品の物流においては、必要な商品を必要な個所に迅速に配送するため、複数の物流センターの配置と当該物流センターが持つ商品の在庫管理と、これを配送する配送システムが重要な役割を果たす。
【０００３】
【発明が解決しようとする課題】
しかし、従来、これらを満足するコンピューターを利用した多品目商品の物流システムは必ずしも提供されていないのが実情である。
本発明の目的は、必要な商品を必要な個所に迅速に配送することができる多品目商品の物流システムを提供するところにある。
【０００４】
【課題を解決するための手段】
前記目的を達成するため、少なくとも後記第１次配送セクション及び第２次配送セクションに商品を配送する物流統括拠点の商品供給セクションに設置され、後記第１次配送セクションになく低回転率であるが付加価値の高い商品の当該商品供給セクションにおける在庫入庫情報を後記ホストコンピューターに送信し、かつ配送情報を後記ホストコンピューターから受信する端末装置と、
複数エリアにそれぞれ位置し、前記商品供給セクションの在庫商品よりも回転率の高い定番・定量商品の在庫を保有するところの、第１次配送セクションに設置され、当該第１次配送セクションの在庫入庫情報を後記ホストコンピューターに送信し、かつ後記ホストコンピューターから配送情報を受信する端末装置と、
前記各第１次配送セクションから近距離範囲内に位置し、当該第１次配送セクションから周囲の複数の販売店に車輌により巡回して配送するところの、商品の在庫を持たない受注セクションに設置され、当該受注セクションにおける当該販売店からの商品の受注情報を後記ホストコンピューターに送信する端末装置と、
前記各第１次配送セクションから中距離範囲内に位置し、当該第１次配送セクションから供給する商品を周囲の販売店に車輌により巡回して配送するところの、第２次配送セクションに設置され、当該第１次配送セクションより少ない在庫量で在庫する商品の当該第２次配送セクションにおける在庫入庫情報と、当該第２次配送セクションにおける当該販売店からの商品の受注情報とを後記ホストコンピューターに送信し、かつ配送情報を後記ホストコンピューターから受信する端末装置と、
前記商品供給セクション、前記第１次配送セクション、前記受注セクション及び前記第２次配送セクションに設置された前記各端末装置から前記在庫入庫情報又は前記受注情報を受信し、かつ前記商品供給セクション、前記第１次配送セクション、及び前記第２次配送セクションに設置された前記各端末装置へ配送情報を送信し、当該在庫入庫情報、受注情報及び配送情報を記憶媒体に蓄積する情報システムセンターのホストコンピューターとから少なくともなり、
前記第１次配送セクション及び前記第２次配送セクションからの在庫入庫情報には定番・定量商品の在庫入庫情報を含み、前記商品供給セクションからの在庫入庫情報には低回転率であるが付加価値の高い商品を含む商品の在庫入庫情報を含み、
商品の受注情報に基づいて、当該受注が受注セクションのテリトリー内の販売店であれば少なくとも受注セクションのテリトリー内の販売店に配送する配送情報が前記ホストコンピューターの記憶媒体に蓄積されると共に、第１次配送セクションの端末装置に送信され、当該受注が第２次配送セクションのテリトリー内の販売店であれば第２次配送セクションのテリトリー内の販売店に配送する配送情報が前記ホストコンピューターの記憶媒体に蓄積されると共に、当該第２次配送セクションの端末装置に送信され、
当該受注した商品の受注数量情報と在庫数量情報とを前記ホストコンピューターにおいて比較評価することによって、当該商品の在庫が欠落している場合は、当該商品の欠落情報が前記ホストコンピューターの記憶媒体に蓄積され、当該欠落商品を第１次配送セクションから第２次配送セクションに配送する配送情報が前記ホストコンピューターの記憶媒体に蓄積されると共に、当該第１次配送セクションの端末装置に送信されることを特徴とする多品目商品の物流システムを採用した。
【０００５】
さらには、前記販売店の端末装置から通信回線を通じてアクセス可能な通信ネットワークサーバーの記憶媒体に、前記商品供給セクション或いは前記配送セクションが持つ商品の在庫情報が蓄積され、前記販売店の端末装置が当該在庫情報に基づいて商品の発注情報を前記通信ネットワークサーバーに送信し、当該通信ネットワークサーバーが前記商品の配送情報を出力する請求項１記載の多品目商品の物流システムを採用した。
【０００６】
これにより、各第１配送セクションから近距離範囲内のエリアにおいては、商品供給セクションの在庫商品よりも回転率の高い定番・定量商品の在庫を備えた当該各第１次配送セクションが各販売店に常時配送することができる。また、各第１次配送セクションから中距離範囲内のエリアでは、定番・定量商品の在庫を持つ第２次配送セクションが各販売店に配送することができる一方で、定番・定量商品以外の受注商品は当該第１次配送セクションから当該第２次配送セクションに配送される。
【０００７】
従って、商品供給セクションを物流の統括拠点にして、多品目商品を販売店に迅速かつ的確に配送することができるもので、販売店は当該商品の納期を容易に把握できるものである。
【０００８】
また特に、これらの商品供給セクション或いは第１次及び第２次配送セクションが持つ各商品の在庫情報をインターネット上のホームページや商品カタログに色分け表示して掲載することにより、商品の販売店乃至仕入れ先が当該商品の在庫情報即ち納期を瞬時かつ的確に把握することができる。
【０００９】
【発明の実施の形態】
図１は本発明に係る物流システムの一実施形態を示すホストコンピューターと各端末装置とのネットワークを示す図である。図中、実線は商品の流れを、破線は情報の流れをそれぞれ示している。
【００１０】
１０は、商品供給セクション１ａ、第１次配送セクション２ａ、受注セクション３ａ、及び第２次配送セクション４ａから送信される在庫入庫情報や受注情報を一元的に管理し、かつ商品供給セクション１ａ、第１次配送セクション２ａ、及び第２次配送セクション４ａへ配送情報を送信する情報システムセンター１０ａに設置されたホストコンピューターである。
【００１１】
１は物流拠点を統括する商品供給セクション１ａに設置された端末装置である。この端末装置１は、当該商品供給セクション１ａの商品の在庫入庫情報をホストコンピューター１０に送信し、商品供給セクション１ａから複数エリアにそれぞれ位置する第１次配送セクション２ａ、及び第１次配送セクション２ａから例えば２〜３時間以内の中距離範囲内に位置する第２次配送セクション４ａに少なくとも多品目商品を供給する配送情報と、更に、第１次配送セクション２ａ及び第２次配送セクション４ａに加えて、各販売店３ｂ、４ｂやその他の事業所（第３次配送セクション）５ａ及び販売店５ｂ及び一般ユーザー６ａに多品目商品を配送する配送情報をホストコンピューター１０から受信する。なお、商品供給セクション１ａの商品の在庫量は、第１次配送セクション２ａが例えば約６万品目であるのに対して、約１万品目である等、低回転率であるが付加価値の高い商品に関して、前記第１次配送セクション２ａより少ない在庫量の在庫入庫情報がホストコンピューター１０に送信される。
【００１２】
２は複数エリアにそれぞれ位置し、前記商品供給セクションの在庫商品よりも回転率の高い定番・定量商品の在庫を保有するところの、第１次配送セクション２ａに設置された端末装置で、当該第１次配送セクションの商品の在庫入庫情報をホストコンピューター１０に送信し、後記受注セクション３ａ或いは第２次配送セクション４ａからの商品の受注に基づく商品の配送情報をホストコンピューター１０から受信する。なお、図１では、１ヶ所の第１次配送セクションのみを図示しているが、実際には複数存在する。
【００１３】
３は前記各第１次配送セクション２ａから近距離範囲内に位置し、当該第１次配送セクション２ａから周囲の複数の販売店３ｂを車輌３１により巡回して配送するところの、商品の在庫を持たない受注セクション３ａに設置された端末装置であり、前記各販売店３ｂからの商品の受注情報をホストコンピューター１０に送信する。
【００１４】
４は前記各第１次配送セクション２ａから中距離範囲内に位置し、当該第１次配送セクション２ａから供給する商品を周囲の販売店４ｂに車輌４１により巡回して配送するところの、第２次配送セクション４ａに設置された端末装置であり、当該第１次配送セクション２ａより少なく在庫する商品の在庫入庫情報と、当該第２次配送セクション４ａにおける当該販売店４ｂからの商品の受注情報とをホストコンピューター１０に送信し、当該販売店４ｂに車輌４１により巡回して配送する配送情報をホストコンピューター１０から受信する。
【００１５】
そして、端末装置２及び４からホストコンピューター１０に送信される在庫入庫情報には、前記第１次配送セクション２ａ及び前記第２次配送セクション４ａの定番・定量商品の在庫入庫情報が含まれ、端末装置１からホストコンピューター１０に送信される在庫入庫情報には、前記商品供給セクション１ａの低回転率であるが付加価値の高い商品を含む商品の在庫入庫情報が含まれる。
【００１６】
また、５は前記各第１次配送セクション２ａから遠距離範囲内（例えば３時間以上）に位置し、周囲の販売店５ｂを車輌５１により巡回して配送するところの、第３次配送セクション５ａに設置された端末装置であり、当該第１次配送セクション２ａから供給する商品を当該第１次配送セクション２ａより少なく在庫する商品の在庫入庫情報と、当該第３次配送セクション５ａにおける当該販売店５ｂからの商品の受注情報とをホストコンピューター１０に送信し、当該販売店５ｂを車輌５１により巡回して配送する配送情報をホストコンピューター１０から受信する。なお、６ａは一般ユーザーである。
【００１７】
従って、商品の受注情報に基づいて、当該受注が受注セクションのテリトリー内の販売店であれば、少なくとも受注セクションのテリトリー内の販売店に配送する配送情報が前記ホストコンピューター１０の記憶媒体に蓄積されると共に、第１次配送セクションの端末装置２に送信され、当該受注が第２次配送セクションのテリトリー内の販売店であれば、第２次配送セクションのテリトリー内の販売店に配送する配送情報がホストコンピューター１０の記憶媒体に蓄積されると共に、当該第２次配送セクションの端末装置４に送信される。
【００１８】
また、当該受注した商品の受注数量情報と在庫数量情報とをホストコンピューター１０が比較評価することによって、当該商品の在庫が欠落している場合は、当該商品の欠落情報がホストコンピューター１０の記憶媒体に蓄積され、当該欠落商品を第１次配送セクションから第２次配送セクションに配送される配送情報がホストコンピューター１０の記憶媒体に蓄積されると共に、当該第１次配送セクションの端末装置２に送信される。
【００１９】
このような物流システムにより、商品供給セクションの在庫商品よりも回転率の高い定番・定量商品が第１次配送セクションから配送される一方で、定番・定量商品が常時在庫の補充状態を維持しながら第２次配送セクションから配送され、さらに低回転率であるが付加価値の高い商品が商品供給セクションから供給されることから、必要な商品を必要な個所に迅速に配送することができる。
【００２０】
特に、前記販売店の端末装置から通信回線（インターネットやイントラネットなど）を通じてアクセス可能な通信ネットワークサーバーの記憶媒体に、前記商品供給セクション或いは前記配送セクションが持つ商品の在庫情報が蓄積され、前記販売店の端末装置が当該在庫情報に基づいて商品の発注情報を前記通信ネットワークサーバーに送信し、当該通信ネットワークサーバーが前記商品の配送情報を少なくとも第１次配送セクション、第２次配送セクションの端末装置に送信することにより、当該通信回線を通じて、発注情報と在庫情報と配送情報を瞬時に処理することができるため、一層必要な商品を必要な個所に迅速に配送することができる。
【００２１】
なお、この点で商品供給セクション或いは各配送セクションが持つ商品の在庫情報を色分け表示した商品カタログ或いは同表示をしたＣＤ−ＲＯＭ等の記憶媒体は、販売店又は一般ユーザーにとって視覚的に納期を判別できることから極めて好ましい。
【００２２】
なお、ホストコンピューター１０と各セクションに設置された端末装置１、２、３、４、５との通信回線は、専用回線、公衆回線、インターネットやイントラネットのいずれでも構わず、有線回線であっても無線回線であってもよい。
【００２３】
また、各セクションや販売店に設置される端末装置は、通信回線を通じてホストコンピューターと情報の送受信を行うことが可能な装置を意味し、パソコン、携帯情報端末や携帯電話などが好適に使用できる。
【００２４】
【発明の効果】
以上の通り、本発明は、第１次配送セクションに商品供給セクションよりも回転率の高い定番・定量商品在庫を集中させるとともに、商品供給セクション及び第２次配送セクションに在庫量を少なくし、かつ第２次配送セクションに定番・定量の品目の商品を在庫させ、これらの在庫情報をホストコンピューターによって一括管理し、その結果、適切な商品配送を指示することによって、必要な商品を必要な個所に迅速に配送することができる。
【図面の簡単な説明】
【図１】本発明に係る一実施形態を示す多品目商品の物流システムにおけるホストコンピューターと各端末装置とのネットワークを示す図である。
【符号の説明】
１      商品供給セクションの端末装置
２      第１次配送セクションの端末装置
３      受注セクションの端末装置
４      第２次配送セクションの端末装置
５      第３次配送セクションの端末装置
１０    情報システムセンターのホストコンピューター
【図１】
0004201105.tif 000002